(57)【要約】  【課題】扉のロック機構において、扉枠への施工スペースが狭い場合にも取り付け可能とする。  【解決手段】扉のロック機構は、扉枠２に配設されたラッチブロック１と、扉５に配設されたキャッチブロック４とを備える。ラッチブロック１は、水平方向に移動自在なラッチボルト１１と、ラッチボルト１１の移動を阻止するストッパー１２を有し、キャッチブロック４は、ラッチボルト１１と係合するキャッチ４を有する。ストッパー１２が、ラッチボルト１１の移動方向と直交する方向に移動することにより、ラッチボルト１１の移動を阻止又は自由にし、ロックの施錠・解錠を行なう。このような構成であるので、ラッチブロック１の幅寸法を小さくすることができ、扉のロック機構を施工スペースの狭い扉枠などにも取り付けることができる。【選択図】図２
2008045281.tif 000002
【特許請求の範囲】
【請求項１】
扉を電気信号により施錠・解錠する扉のロック機構において、
扉又は扉枠のいずれか一方に配設されるラッチブロックと、扉又は扉枠のいずれか他方に前記ラッチブロックに対向して配設されるキャッチブロックとを備え、
前記ラッチブロックは、
一方向に付勢されて移動自在なラッチボルトと、
前記ラッチボルトの移動方向とは直交する方向に移動可能で、電動機構の通電／非通電により前記ラッチボルトの移動を阻止する第１の位置及び前記ラッチボルトの移動を自由にする第２の位置をとるストッパーと、を有し、
前記キャッチブロックは、該ラッチボルトと係合するキャッチを有し、
前記ストッパーが第１の位置にあって前記ラッチボルトの移動が阻止された状態で扉は施錠され、前記ストッパーが第２の位置にあって前記ラッチボルトの移動が自由とされた状態で扉は解錠されることを特徴とする扉のロック機構。
【請求項２】
前記電動機構及び前記ストッパーは、前記電動機構によるストッパーの移動方向に配置されていることを特徴とする請求項１に記載の扉のロック機構。
【請求項３】
前記ストッパーを形状の異なるものに交換することにより、前記電動機構への通電時における扉の施錠又は解錠の状態を切り替え自在としたことを特徴とする請求項１又は請求項２に記載の扉のロック機構。
【請求項４】
前記ストッパーの配置位置を変えることにより、前記電動機構への通電時における扉の施錠又は解錠の状態を切り替え自在としたことを特徴とする請求項１又は請求項２に記載の扉のロック機構。
【請求項５】
扉への所定以上の荷重が加わることにより、前記キャッチが変位して扉が解錠されることを特徴とする請求項１乃至請求項４のいずれか一項に記載の扉のロック機構。
【請求項６】
前記キャッチを支持している部材を弾性材料にすることにより施錠力を制限したことを特徴とする請求項５に記載の扉のロック機構。
【請求項７】
前記弾性材料を交換することにより、施錠力を調整することを特徴とする請求項６に記載の扉のロック機構。
【請求項８】
前記キャッチブロックは、前記弾性材料を支持する支持部を有し、前記支持部の配置位置を変えることにより、施錠力を調整することを特徴とする請求項６に記載の扉のロック機構。
【請求項９】
前記ラッチボルトの前記キャッチとの嵌合部は、稜線が扉又は扉枠の縁に略平行な山型形状とされ、
前記キャッチの前記ラッチボルトとの嵌合部は、前記山型形状に略対応した谷型形状とされていることを特徴とする請求項１乃至請求項８のいずれか一項に記載の扉のロック機構。
【請求項１０】
前記ラッチボルトの山型形状の角度が、前記キャッチの谷型形状の角度と異なっていることを特徴とする請求項９に記載の扉のロック機構。
【請求項１１】
前記キャッチが挿通する前記キャッチブロックの収納開口部は、該キャッチとの間に隙間を有し、該キャッチが揺動し得るようにしたことを特徴とする請求項９又は請求項１０に記載の扉のロック機構。
【請求項１２】
前記ラッチボルトが挿通する前記ラッチブロックの収納開口部は、該ラッチボルトとの間に隙間を有し、該ラッチボルトが揺動し得るようにしたことを特徴とする請求項９又は請求項１０に記載の扉のロック機構。
【請求項１３】
前記キャッチは、前記谷型形状の両外側に斜面を有することを特徴とする請求項９乃至請求項１２のいずれか一項に記載の扉のロック機構。
【発明の詳細な説明】
【技術分野】
【０００１】
本発明は、施錠・解錠を電気的及び機械的に行なう扉のロック機構に関する。
【背景技術】
【０００２】
従来から施錠・解錠を電気的及び機械的に行なう扉のロック機構として、施錠状態であっても非常時には、強い人力によって扉を開けることができるものがある。例えば、防火扉への使用例においては、平常時には防火扉が壁部に電気的に施錠されて収納されており、火災発生時には火災検知器等の信号により防火扉の収納が電気的に解錠されて、動力手段によって防火扉が通路を閉鎖し、延焼を防止する。そして、延焼等により電気的に解錠されないときには、強い人力により壁部での収納を解錠し、通路を防火扉で閉鎖する必要がある。また、管理された建物内において、情報の保護を目的として人の入室を制限するようなパーテーションの扉への使用例では、ＩＤカードのデータにより認証された人だけの入室を許可するように、電気的に扉の施錠・解錠を行なう。しかし、火災等の非常時には、何らかの原因で電気的に扉の解錠がされないときも、強い人力により解錠して、人が避難できるようにする必要がある。
【０００３】
そのような扉のロック機構としては、例えば、特許文献１に示されるように、ラッチ腕でフックシャフトを係止し、通常時にはソレノイドの駆動により施錠・解錠を行い、非常時には、強い力で解錠できるものがある。
【０００４】
しかしながら、上述した特許文献１に示されるような扉のロック機構においては、ソレノイドの駆動によって複数の部品を順番に運動させることによりラッチ腕を回転させ、フックシャフトとの係止を解いて解錠する構造であるために、複雑で大型となり、扉枠に施工スペースが狭い場合に取り付けることが困難である。
【特許文献１】特開平８−４２２１４号公報
【発明の開示】
【発明が解決しようとする課題】
【０００５】
本発明は、上記の問題を解決するためになされたものであり、小型化を実現し、扉枠への施工スペースが狭い場合においても容易に取り付けることができる扉のロック機構を提供し、更には、強制的に開放可能な構造を、簡略な構成によって実現した扉のロック機構を提供することを目的とする。
【課題を解決するための手段】
【０００６】
上記目的を達成するために請求項１の発明は、扉を電気信号により施錠・解錠する扉のロック機構において、扉又は扉枠のいずれか一方に配設されるラッチブロックと、扉又は扉枠のいずれか他方に前記ラッチブロックに対向して配設されるキャッチブロックとを備え、前記ラッチブロックは、一方向に付勢されて移動自在なラッチボルトと、前記ラッチボルトの移動方向とは直交する方向に移動可能で、電動機構の通電／非通電により前記ラッチボルトの移動を阻止する第１の位置及び前記ラッチボルトの移動を自由にする第２の位置をとるストッパーと、を有し、前記キャッチブロックは、該ラッチボルトと係合するキャッチを有し、前記ストッパーが第１の位置にあって前記ラッチボルトの移動が阻止された状態で扉は施錠され、前記ストッパーが第２の位置にあって前記ラッチボルトの移動が自由とされた状態で扉は解錠されるものである。
【０００７】
請求項２の発明は、請求項１に記載の扉のロック機構において、前記電動機構及び前記ストッパーは、前記電動機構によるストッパーの移動方向に配置されているものである。
【０００８】
請求項３の発明は、請求項１又は請求項２に記載の扉のロック機構において、前記ストッパーを形状の異なるものに交換することにより、前記電動機構への通電時における扉の施錠又は解錠の状態を切り替え自在としたものである。
【０００９】
請求項４の発明は、請求項１又は請求項２に記載の扉のロック機構において前記ストッパーの配置位置を変えることにより、前記電動機構への通電時における扉の施錠又は解錠の状態を切り替え自在としたものである。
【００１０】
請求項５の発明は、請求項１乃至請求項４のいずれか一項に記載の扉のロック機構において、扉への所定以上の荷重が加わることにより、前記キャッチが変位して扉が解錠されるものである。
【００１１】
請求項６の発明は、請求項５に記載の扉のロック機構において、前記キャッチを支持している部材を弾性材料にすることにより施錠力を制限したものである。
【００１２】
請求項７の発明は、請求項６に記載の扉のロック機構において、前記弾性材料を交換することにより、施錠力を調整するものである。
【００１３】
請求項８の発明は、請求項６に記載の扉のロック機構において、前記キャッチブロックは、前記弾性材料を支持する支持部を有し、前記支持部の配置位置を変えることにより、施錠力を調整するものである。
【００１４】
請求項９の発明は、請求項１乃至請求項８のいずれか一項に記載の扉のロック機構において、前記ラッチボルトの前記キャッチとの嵌合部は、稜線が扉又は扉枠の縁に略平行な山型形状とされ、前記キャッチの前記ラッチボルトとの嵌合部は、前記山型形状に略対応した谷型形状とされているものである。
【００１５】
請求項１０の発明は、請求項９に記載の扉のロック機構において、前記ラッチボルトの山型形状の角度が、前記キャッチの谷型形状の角度と異なっているものである。
【００１６】
請求項１１の発明は、請求項９又は請求項１０に記載の扉のロック機構において、前記キャッチが挿通する前記キャッチブロックの収納開口部は、該キャッチとの間に隙間を有し、該キャッチが揺動し得るようにしたものである。
【００１７】
請求項１２の発明は、請求項９又は請求項１０に記載の扉のロック機構において、前記ラッチボルトが挿通する前記ラッチブロックの収納開口部は、該ラッチボルトとの間に隙間を有し、該ラッチボルトが揺動し得るようにしたものである。
【００１８】
請求項１３の発明は、請求項９乃至請求項１２のいずれか一項に記載の扉のロック機構において、前記キャッチは、前記谷型形状の両外側に斜面を有するものである。
【発明の効果】
【００１９】
請求項１の発明によれば、ラッチブロックを小型化することができ、ラッチブロックを施工スペースの狭い扉枠などの場合にも取り付けることができる。
【００２０】
請求項２の発明によれば、電動機構及びストッパーを、ストッパーの移動方向に沿って配置することにより、ラッチブロックの幅寸法を小さくすることができる。
【００２１】
請求項３の発明によれば、通電施錠型／通電解錠型の切り替えを、ストッパーの交換により容易に行なうことができる。
【００２２】
請求項４の発明によれば、通電施錠型／通電解錠型の切り替えを、ストッパーの配置位置を変更することにより容易に行なうことができる。
【００２３】
請求項５の発明によれば、簡略な構成で、非常時等に扉を強制的に開放することができる。
【００２４】
請求項６の発明によれば、扉に適度な施錠力を与えることができると共に強制開放することもでき、また、強制開放後も、強制開放前の状態に復帰するので、繰り返し利用することができる。
【００２５】
請求項７の発明によれば、施錠力を、弾性材料の交換によって容易に調整することができる。
【００２６】
請求項８の発明によれば、施錠力を、支持部の位置変更によって容易に調整することができる。
【００２７】
請求項９の発明によれば、ラッチボルトとキャッチの嵌合部の形状が、互いの形状に対応した山型形状と谷型形状であるので、扉を押す方向と引く方向の両方向に開くことができる。
【００２８】
請求項１０の発明によれば、ラッチボルトの山型形状の角度が、前記キャッチの谷型形状の角度と異なるので、山型の斜面と谷型の斜面との面全体の接触による摩擦力の増大がなく、容易に扉を開けることができる。
【００２９】
請求項１１の発明によれば、扉の強制開放時の初動負荷を軽減することができる。
【００３０】
請求項１２の発明によれば、扉の強制開放時の初動負荷を軽減することができる。
【００３１】
請求項１３の発明によれば、キャッチは、谷型形状の両外側に斜面を有するので、扉の開放時に、誤ってラッチボルトの施錠を行なったまま扉の閉動作を行なってもロック機構を破損しない。
【発明を実施するための最良の形態】
【００３２】
本発明の実施形態に係る扉のロック機構について図１乃至図４を参照して説明する。本実施形態の扉のロック機構は、例えば、管理された建物内において、情報の保護を目的として人の入室を制限するパーテーションの扉に使用される。図１は、扉のロック機構の使用状況を示し、図２は、ロック機構の構成を示し、図３は、ラッチブロックの外観を、図４は、キャッチブロックの外観を示す。扉のロック機構は、ラッチブロック１とキャッチブロック４を備えており、ラッチブロック１は、扉枠２に縦向きにネジ３で取り付けられ、キャッチブロック４は、扉５にラッチブロック１に対向するようにネジ３で取り付けられる。ラッチブロック１から突出しているラッチボルト１１とキャッチブロック４から突出しているキャッチ４１とは嵌合して扉５を閉じた状態に保持する。ラッチブロック１は、施錠・解錠の駆動信号を送信する図示していないコントローラと信号線６とで繋がっている。
【００３３】
ラッチブロック１は、略水平方向に移動自在なラッチボルト１１と、上下に移動してラッチボルト１１の移動を阻止又は自由にするストッパー１２と、ストッパー１２を上下に移動させるソレノイド１３を有している。ラッチブロック１は、ラッチシャーシ１８にラッチボルト１１を略水平方向に移動自在に案内するガイドシャフト１４と、ラッチボルト１１を付勢するラッチバネ１５とを有している。ラッチボルト１１は、ガイドシャフト１４に案内されて水平方向に移動自在であり、また、ラッチバネ１５によって、キャッチブロック４側に付勢されている。ラッチボルト１１が移動する機構は、簡単な部品構成でできており、また、ガイドシャフト１４とラッチバネ１５の位置調整により、ラッチバネ１５のラッチボルト１１への荷重の方向の調整もできる。このことにより、ラッチボルト１１は、円滑に移動することができ、信頼性も高い。
【００３４】
ストッパー１２は板形状であり、中央にラッチボルト１１が通過できる大きさの開口部１２１を有しており、開口部１２１をラッチボルト１１側に向けて配置されている。ストッパー１２は、上下２箇所に移動し、ラッチシャーシ１８に固定されたラッチボルトフレーム１６に移動自在に支持されている。ストッパー１２が下の位置にあるときは、開口部１２１がラッチボルト１１と同じ高さにあるので、ラッチボルト１１は開口部１２１を通ることができて解錠状態となり、ストッパー１２が上の位置にあるときは、ストッパー１２の開口部１２１がラッチボルト１１よりも上にあり、ラッチボルト１１の下部がストッパー１２に当接し、ラッチボルト１１の移動が阻止されて施錠状態となる。
【００３５】
ソレノイド１３は、駆動軸を有しており、該駆動軸の下端でストッパー１２の上端と接続されている。また、ソレノイド１３は、上下に移動可能であり、ソレノイド配置ネジ１７によってラッチシャーシ１８に配置されている。
【００３６】
キャッチブロック４は、ラッチボルト１１と係合するキャッチ４１と、キャッチ４１を付勢する板バネ４３と、板バネ４３を支持する支持部４４を有している。キャッチ４１は、キャッチフレーム４２に水平方向に移動自在に支持されており、板バネ４３によってラッチボルト１１側に付勢されている。板バネ４３の一端はキャッチシャーシ４５に接合されており、他端の付近で支持部４４に移動自在に支持されている。支持部４４は、上下に配置位置を移動することができ、支持部配置ネジ４６によってキャッチシャーシ４５に配置されている。支持部４４の配置位置を上下に移動させることによって、板バネ４３が支持部４４に支持される位置が変わり、板バネ４３の付勢力を調整することができる。
【００３７】
ラッチボルト１１と収納開口部１１２（図３（ｄ）参照）との間、及びキャッチ４１と収納開口部４１２（図４（ｃ）参照）との間には隙間が設けられており、ラッチボルト１１及びキャッチ４１は揺動することができるので、スムーズに収納開口部１１２、４１２の中に挿通することができる。解錠時や扉の強制開放時には、ラッチボルト１１及びキャッチ４１と、収納開口部１１２、４１２とが、こじることがなく扉を開けることができる。
【００３８】
ラッチボルト１１とキャッチ４１の嵌合部形状を図５を参照して説明する。ラッチボルト１１の嵌合部は山型形状である。キャッチ４１の嵌合部は、ラッチボルト１１の山型形状に略対応した谷型となっている。両者のこの形状により扉は、押す方向と引く方向の両方に開くことができる。また、ラッチボルト１１の山型の角度は、キャッチ４１の谷型の角度よりも大きいので、山型の斜面と谷型の斜面とが面全体で接触することがなく、摩擦力が大きくならずに扉を容易に開けることができる。
【００３９】
次に、上記のように構成された本実施形態に係る扉のロック機構の動作を説明する。解錠時には、ソレノイド１３に通電されず、ソレノイド１３は、図示しないスプリングによりストッパー１２を下の位置に移動させる。扉を開けようとすると、ラッチボルト１１とキャッチ４１が当接し、ラッチボルト１１は、キャッチ４１から、扉枠内側へ荷重され、ストッパー１２側へ移動しようとする。このとき、ストッパー１２は、下の位置にあるので、ラッチボルト１１は、ストッパー１２の開口部１２１を通過することができる。また、ラッチボルト１１はラッチバネ１５によってキャッチ４１側へ付勢されているが、ラッチバネ１５の力は弱いので、ラッチボルト１１は、ストッパー１２側へ移動し、キャッチ４１との係合が外れてドアを開けることができる。
【００４０】
施錠時には、ソレノイド１３に通電され、ソレノイド１３はストッパー１２を上の位置に移動させる。扉を開けようとすると、ラッチボルト１１とキャッチ４１が当接し、ラッチボルト１１は、キャッチ４１から、扉枠内側へ荷重される。ラッチボルト１１は、扉枠内側へ移動しようとするが、ストッパー１２が上の位置にあるために、ラッチボルト１１の下部がストッパー１２と当接し移動が阻止される。このとき、キャッチ４１もラッチボルト１１から荷重を受け、扉内側へ移動しようとするが、板バネ４３によって強くラッチボルト１１側へ付勢されているので、扉内側へ移動することができず、ラッチボルト１１はキャッチ４１に係合されたままとなり、ドアを開けることができない。しかし、施錠時においても強い力で扉を開けようとすると、キャッチ４１がラッチボルト１１から強い荷重を受け、板バネ４３の付勢力よりも荷重が大きくなれば板バネ４３が変形し、キャッチ４１は扉内側へ押し込まれて移動し、ラッチボルト１１とキャッチ４１との係合が外れ、ドアを開けることができる。このように、簡略な構成の扉のロック機構によって、火災等の緊急時に、施錠状態であっても強い力により扉を開け避難することができる。また、板バネ４３は、弾性材なので、扉の強制開放後も強制開放前の状態に復帰し、繰り返し利用することができる。
【００４１】
このように、ラッチボルト１１の移動を、ラッチボルト１１の移動方向と直交する方向に移動するストッパー１２によって阻止し、また、ソレノイド１３がストッパー１２の移動方向に配置されているので、ラッチブロック１の幅は、ラッチボルト１１の大きさに準じることができ、ラッチブロック１の幅寸法を小さくすることができ、小型化することができる。これによりラッチブロック１は、施工スペースの狭い扉枠５にも取り付けることができ、また、取り付け時の美観を損なわない。
【００４２】
次に、ラッチボルト１１とキャッチ４１の嵌合部の形状を変えた例について図６を参照して説明する。この例においては、キャッチ４１は、谷型形状の両外側にも斜面４１１を有している。これにより、扉の開放時にラッチボルト１１が施錠状態となっても、強い力で扉を閉めることにより、キャッチ４１は、外側の斜面４１１でラッチボルト１１より扉内側へ荷重されて移動し、キャッチ４１とラッチボルト１１は嵌合し、扉の施錠が行なわれる。扉の開放時に、誤ってラッチボルト１１の施錠を行なったまま扉の閉動作を行なってもロック機構を破損しない。
【００４３】
次に、ストッパー１２を形状が異なるものに交換することにより、施錠・解錠の状態の切り替えを行なう方法について説明する。図７（ａ）、（ｂ）は、ラッチボルト１１とストッパー１２の位置関係を示し、通電施錠形であり、前者は非通電時、後者は通電時である。図７（ｃ）、（ｄ）は、開口部１２１の位置が図７（ａ）、（ｂ）に示したものより矢印Ｌの長さ分、下側に設けられている別個のストッパー１２における位置関係を示し、通電解錠形であり、前者は非通電時、後者は通電時である。
【００４４】
図７（ａ）において、ストッパー１２は下の位置にあり、開口部１２１がラッチボルト１１と同じ高さであるので解錠状態にあり、この状態からソレノイド１３に通電されると、図７（ｂ）に示すように、ストッパー１２は矢印Ｍの長さ分、上の位置に移動し、ラッチボルト１１の下部がストッパー１２と干渉する状態となるので、施錠状態となる。図７（ｃ）において、ストッパー１２は下の位置にあり、開口部１２１が図７（ａ）に比べて矢印Ｌの長さ分、下側にあり、ラッチボルト１１の上部がストッパー１２と干渉する状態となるので、施錠状態にある。この状態からソレノイド１３に通電されると、図７（ｄ）に示すように、ストッパー１２が矢印Ｍの長さ分、上側に移動し、矢印Ｍと矢印Ｌは同じ長さなので、開口部１２１が、ラッチボルト１１と同じ高さになり、解錠状態となる。このように、通電施錠型／通電解錠型への対応をストッパー１２の変更により容易に行なうことができる。
【００４５】
次に、ストッパー１２の配置位置を変えることにより、施錠・解錠の状態の切り替えを行なう方法について説明する。図８（ａ）、（ｂ）は、図７（ａ）、（ｂ）と同じであり、本ストッパー１２のラッチボルト１１とストッパー１２の位置関係を示し、通電施錠形であり、前者は非通電時、後者は通電時である。図８（ｃ）、（ｄ）は、ストッパー１２の配置位置を図８（ａ）、（ｂ）に示したものより矢印Ｌの長さ分下側に変えたときの位置関係を示し、通電解錠形であり、前者は非通電時、後者は通電時である。
【００４６】
図８（ｃ）においては、ラッチボルト１１の上部がストッパー１２と干渉する状態となるので、施錠状態となり、この状態からソレノイド１３に通電されると、図８（ｄ）に示されるように、ストッパー１２が移動し、開口部１２１が、ラッチボルト１１と同じ高さになり、解錠状態となる。このように、通電施錠型／通電解錠型への対応をストッパー１２の配置位置を変えることにより容易に行なうことができる。ここで、ストッパー１２の配置位置の変更は、ストッパー１２が接続されているソレノイド１３の配置位置をソレノイド配置ネジ１７によって変えることにより行なう。通電施錠型／通電解除型の切り替えを、部品の取り外し等を行なわずに、ソレノイド１３の配置位置を変えることにより施工現場で容易に行なうことができる。
【００４７】
次に、施錠力の調整方法について説明する。板バネ４３（図２、図４参照）をばね定数の異なる板バネ４３に交換することにより付勢力を変え、施錠力を容易に調整できるので、設置場所の扉等の強度に応じて施錠力を制限することができ、施錠時に強制的に扉を開けることによって扉等を破損することがない。また、支持部４４を上下に移動させて支持部固定ネジ４６によって固定し、支持部４４が板バネ４３を支持する位置を変えることにより、板バネ４３の弾性を変えて施錠力を調整できるので、施工現場で容易に行なうことができる。
【００４８】
次に、本実施形態の扉のロック機構のシステムについて図９を参照して説明する。本システムは、入室者の認証データを読み取る認証装置７と、認証データ等に基きシステムを制御するコントローラ８と、コントローラ８からの指示により扉の施錠・解錠を行なうロック機構制御部９を備えている。ロック機構制御部９は、上述した図１乃至図４に示したロック機構におけるソレノイド１３と図示していない施錠センサ及び開戸センサを含む。認証装置７は、戸口に設置され、入室者のＩＤカードから認証データを読取り、認証データをコントローラ８へ送信する。コントローラ８は、内蔵するプログラムに従い、システムを制御する。また、コントローラ８は、ロック機構制御部９内のソレノイド１３を駆動するための電圧を供給し、扉の施錠・解錠を行なうと共に、ロック機構制御部９より扉の施錠・解錠状態及び開戸・閉戸状態のセンサ信号を受信する。
【００４９】
上記扉のロック機構のシステムにおいて、認証装置７は、入室者のＩＤカードから認証データを読取り、認証データをコントローラ８へ送信する。コントローラ８は、認証装置７から送信された認証データを基に扉の施錠・解錠をプログラムに従って制御し、ロック機構制御部９へ、扉の施錠・解錠の駆動信号を送信する。また、コントローラ８は、ロック機構制御部９より扉の施錠・解錠状態及び開戸・閉戸状態のセンサ信号を受信し、扉のロック機構のシステムを制御する。
【００５０】
なお、本発明は、上記各種実施形態の構成に限られず、種々の変形が可能である。例えば、ストッパー１２とラッチボルト１１の形状は、ストッパー１２がラッチボルト１１の移動を阻止又は自由にすることができる形状のものであればよい。また、ストッパー１２の開口部１２１の形状を変えて施錠・解錠の状態の切り替えを行なったが、ラッチボルト１１の形状を変えて行なってもよいし、また、ソレノイド１３の通電時／非通電時の動作を上下逆にして行ってもよい。また、ストッパー１２の電動機構としては、ソレノイド１３に代えてモータのような電動機構を採用してもよい。また、キャッチ４１の付勢に板バネ４３を用いずに、コイルバネ等の各種の弾性体を採用することができる。また、キャッチ４１は、他の部材により付勢されずに支持されていてもよいし、キャッチ４１を付勢又は支持する部材は、弾性体に限定されず、所定の荷重でキャッチ４１の支持を解放するものであればよい。また、ラッチボルト１１の山型形状の角度を、キャッチ４１の谷型形状の角度より大きくしたが、ラッチボルト１１の山型形状の角度を、キャッチ４１の谷型形状の角度より小さくして、同様の拘束力を得てもよい。
【図面の簡単な説明】
【００５１】
【図１】本発明の実施形態に係る扉のロック機構の使用状態を示す斜視図。
【図２】同扉のロック機構の構成図。
【図３】（ａ）は同ラッチブロックの保護カバーを付けた外観図、（ｂ）（ｃ）（ｄ）は同ラッチブロックの保護カバーを外した外観図。
【図４】（ａ）は同キャッチブロックの保護カバーを付けた外観図、（ｂ）（ｃ）（ｄ）は同キャッチブロックの保護カバーを外した外観図。
【図５】同ラッチボルトとキャッチの嵌合部の平面図。
【図６】本発明の実施形態に係る異なる形状のキャッチとラッチボルトの嵌合部の平面図。
【図７】本発明の実施形態に係るラッチボルトとストッパーの位置関係を示し、（ａ）は通電施錠型の非通電時を示す図、（ｂ）は同型の通電時を示す図、（ｃ）は通電解錠型の非通電時を示す図、（ｄ）は同型の通電時を示す図。
【図８】本発明の実施形態に係るラッチボルトとストッパーの位置関係を示し、（ａ）は通電施錠型の非通電時を示す図、（ｂ）は同型の通電時を示す図、（ｃ）は通電解錠型の非通電時を示す図、（ｄ）は同型の通電時を示す図。
【図９】本実施形態の扉のロック機構のシステム構成図。
【符号の説明】
【００５２】
１  ラッチブロック
１１  ラッチボルト
１１２  収納開口部
１２  ストッパー
１２１  開口部
１３  ソレノイド（電動機構）
２  扉枠
４  キャッチブロック
４１  キャッチ
４１１  斜面
４１２  収納開口部
４３  板バネ（弾性材料）
４４  支持部
５  扉
【図１】
2008045281.tif 000003
【図２】
2008045281.tif 000004
【図３】
2008045281.tif 000005
【図４】
2008045281.tif 000006
【図５】
2008045281.tif 000007
【図６】
2008045281.tif 000008
【図７】
2008045281.tif 000009
【図８】
2008045281.tif 000010
【図９】
2008045281.tif 000011